(57)【要約】  【課題】  コストをあげることなく、右手撮影か左手撮影かを自動で検出することが可能な撮像機器を提供する事である。  【解決手段】  検出手段が前記二つのグリップベルト取り付け部の間に配置されていることを特徴とした撮像機器。【選択図】  図８
2012123078.tif 000002
【特許請求の範囲】
【請求項１】
被写体を撮影する撮像機器であって、右手把持の際の右手姿勢と、同姿勢に対し天地逆転姿勢であって左手把持の際の左手姿勢との二姿勢のいずれか一方で使用される本体部と、前記撮像機器を把持する手の検出手段と該検出結果に基づき画像及び音声データの処理を行う機能を備えた撮像機器であり、上記本体部を右手姿勢としたときに上記本体部の背面から見て右側部に本体グリップ部を備え、前記本体グリップ部の前面側と後面側にグリップベルトの取り付け部を二つ備えた撮像機器であり、前記検出手段が前記二つのグリップベルトの取り付け部の間に配置されていることを特徴とした撮像機器。
【発明の詳細な説明】
【技術分野】
【０００１】
本発明は、通常の右手撮影姿勢に対し本体を上下反転状態での左手撮影可能な撮像機器において、右手撮影か左手撮影かを自動で検出することが可能な撮像機器に関するものである。
【背景技術】
【０００２】
従来の一般的なカメラにおいては、右手によって操作されることを前提とした部材配置がなされた設計となっている。この場合、利き手が左手である使用者であっても右手による操作を強いられることになる。
【０００３】
そこで、左右のいずれの手によっても良好に操作し得るように部材配置を工夫して、使用者の利き手に関らず、常に良好な操作性を確保し得るようにしたカメラについては、例えば特許文献１によって従来より種々の提案がなされている。（図１９参照）。
【先行技術文献】
【特許文献】
【０００４】
【特許文献１】特開２００１−３１８４２１号公報
【発明の概要】
【発明が解決しようとする課題】
【０００５】
上記特許文献１によって開示されている発明においては、カメラのグリップ部の上面と底面に複数のレリーズボタンを配置することによって、右手撮影に対し、撮像機器自体を上下反転した左手撮影時においてもひとさし指にてレリーズボタンを押すことが可能な配置にしており、撮像機器が右手撮影か左手撮影かの判断は重力センサーを用いて行っている。
【０００６】
しかしながら重力センサーは高価な部品であるためコストアップにつながってしまっていた。
【０００７】
本発明は、上述した点に鑑みてなされたものであって、その目的とするところは、低コストにて右手撮影か左手撮影かを自動で検出することが可能な撮像機器を提供する事である
【課題を解決するための手段】
【０００８】
上記目的を達成するために本出願に係る第一の発明は被写体を撮影する撮像機器であって、右手把持の際の右手姿勢と、同姿勢に対し天地逆転姿勢であって左手把持の際の左手姿勢との二姿勢のいずれか一方で使用される本体部と、前記撮像機器を把持する手の検出手段と該検出結果に基づき画像及び音声データの処理を行う機能を備えた撮像機器であり、上記本体部を右手姿勢としたときに上記本体部の背面から見て右側部に本体グリップ部を備え、前記本体グリップ部の前面側と後面側にグリップベルトの取り付け部を二つ備えた撮像機器であり、前記検出手段が前記二つのグリップベルトの取り付け部の間に配置されていることを特徴とした撮像機器。
【発明の効果】
【０００９】
請求項1に記載の発明によれば、右手で撮影しているか左手で撮影しているかが自動で検出可能である。
【図面の簡単な説明】
【００１０】
【図１】本発明の背面斜視図
【図２】本発明の正面斜視図
【図３】本発明の底面斜視図
【図４】本発明のビデオカメラを右手で把持している図
【図５】本発明のビデオカメラを右手で把持している図
【図６】本発明のビデオカメラを右手姿勢にてレンズ面からみた図
【図７】本発明のビデオカメラを右手姿勢にて背面からみた図
【図８】本発明のビデオカメラを左手で把持している図
【図９】本発明のビデオカメラを左手姿勢にした斜視図
【図１０】本発明のビデオカメラを左手で把持している図
【図１１】画像音声処理テーブル
【図１２】仕様設定処理フロー
【図１３】本発明の撮像機器の操作部の側面視
【図１４】本発明の撮像機器
【図１５】本発明における撮像機器の検出部断面
【図１６】本発明における撮像機器の検出部分解図
【図１７】本発明の撮像機器の検出部の斜視図
【図１８】本発明における撮像機器の検出部断面
【図１９】特許文献１の発明
【発明を実施するための形態】
【００１１】
［実施例１］
以下、図示の実施の形態によって本発明を説明する。
【００１２】
本実施形態の撮像機器はは、光学像を受けて光電変換することで電気信号として記録するデジタルビデオカメラであって、右手で使用される際の右手姿勢（図４、図５、図６参照）と、この右手姿勢に対して天地逆転した姿勢であって左手で使用される際の左手姿勢（図８、図９、図１０参照）との二つの姿勢のいずれか一方で使用し得るように構成したものである。
【００１３】
図１、図２、図３は、本発明の一実施形態のビデオカメラを示している。このうち、図１は本発明のビデオカメラの外観を示す背面斜視図である。図２は本発明のビデオカメラの外観を示す正面斜視図である、図３は本発明の底面部を示す斜視図である。
【００１４】
なお、以下の説明においては、本発明のビデオカメラ（以下カメラ1）を右手姿勢で使用する際の状態を基本的な姿勢として説明している。したがって、本カメラ１の本体部１０についての各面の名称は図１、図２、図３において上面１０１、底面２０１、左側面３０１、右側面４０１、レンズ面５０１、背面６０１とする。
【００１５】
図１に示すように本体部１０は背面部の幅６０１a、および背面部の高さ６０１ｂに比べて光軸方向の距離が長く、光軸方向に略棒状に形成されている。近年のビデオカメラは記録媒体の小型化が進み、このように略棒状の形状が増えてきている。この本体部１０の内部には、電気基板等の主要構成部材（特に図示せず）が配設されており、その外面は外装部材によって覆われている
図５、図６は右手姿勢における把持状態示す。図５は背面斜視図であり、図６はレンズ面から見た正面図である。レンズ面からみて左側がグリップ部なっており、前記グリップ部の前面側と背面側には各々グリップベルト挿通部４２１と４３１が設けられており、グリップベルト４１１の両端がグリップベルト挿通部４２１と４３１におのおの挿通され、折り返されて図示しないマジックベルト等により固定されている。本体形状が光軸に沿った略棒状であるため、撮影者はグリップベルト４１１に親指以外の指を挿通し上面をつかみ、手のひらの土手が本体１０の右側面４０１と底面２０１の稜線にかかるように本体１０を支え親指が背面６０１にくるように把持される。
【００１６】
図１、図１４に示すように右側面３０１には画像記録のためのメモリーカード３５１の挿抜が可能なカード収納部３０３とバッテリー３６１の脱着が可能なバッテリー収納部３０２を備えている。メモリーカード３５１とバッテリー３６１はカード収納部３０３とバッテリー収納部３０２に夫々図示しない係止機構で係止されている。図１４におけるメモリーカード３５１とバッテリー３６１はともに収納途中の図である。該メモリーカード３５１と該バッテリ３６１は収納後左側面３０１に対して同一面もしくは凹になるように収納される。
【００１７】
図１４において左側面301の前方には図示しないヒンジ機構により、軸ｂを中心に回動して本体１０に対し開閉可能なパネル部７０１を備えている
図２より本体部１０のレンズ面５０１には撮影レンズ５１１及び該撮影レンズ５１１の近傍に右ＭＩＣ５２１と左ＭＩＣ５２２が備えられている。右手姿勢にて撮影された場合、右ＭＩＣ５２１は撮影者から見て右側の音を強く収音し、左ＭＩＣ５２２は左側の音を強く収音するものである。
【００１８】
図６は右手姿勢において本体部１０をレンズ面から見た正面図である。
【００１９】
図６に示すように該右ＭＩＣ５２１と該左ＭＩＣ５２２はレンズ光軸を通る鉛直線aを挟んで撮影者からみて右側に右ＭＩＣ５２１、撮影者から見て左側に左ＭＩＣ５２２が配置されており、鉛直線aに対し略左右対称の位置にある。また、図９は左手姿勢での斜視図であるが、図９に示すように該右ＭＩＣ５２１と該左ＭＩＣ５２２は左手姿勢においても鉛直線ａをはさんで略左右対称に配置されている。
【００２０】
図２、図４で示すように右側面４０１は右手姿勢においては本体部１０の撮影者側から見て右側部に配置されて右手によって把持される面となる。一方図10に示すように本体１０を天地逆にした左手姿勢にしたときは本体部１０の背面から見て左側部に配置されて、左手によって把持される部分となる。したがって、右側面４０１は、右手姿勢としたときにおいても、左手姿勢としたときにおいても、使用者の利き手によって把持される共通の部分となっている。また右手姿勢及び左手姿勢において手の甲にはグリップベルト４１１が調節可能（図示せず）に当接し、安定した撮影を可能としている。
【００２１】
図１２は本発明のビデオカメラにおける左手姿勢／右手姿勢仕様設定の処理を示すフローチャートである。
【００２２】
図１０、図４に示すようにパネル部７０１には記録画像、再生画像を表示する画像表示部７１１を備えている。またパネル部７０１の画像表示部近傍にはスライド式のモード選択スイッチ部７２１を備えている、モード選択スイッチは動画撮影と静止画撮影の異なる撮影モードの切り替えを行うモード選択スイッチ部721は動画モード７２２と静止画モード７２３の二つのポジションを選択可能である。
【００２３】
図１１に示すように右手姿勢時では画像、音声ともに撮影時のデータをそのまま記録する。
【００２４】
左手姿勢時では本体１０が１８０度回転した状態で撮影されるため、そのままで記録すると、モニターやテレビジョンにて再生を行ったときに画面が180度回転してしまう。本発明では撮影画像を１８０度回転し処理をおこない記録する。また、左手姿勢時においてはMICの位置が左右逆転するため、右MIC５２１で収音された音声は左ＭＩＣの音として記録し、左ＭＩＣ５２２で収音された音声は右ＭＩＣの音声として処理後に記録する。
【００２５】
図７に本体部１０の背面を示す、パネル部７０１は本体部１０に対し開状態である。図７に示すように背面部６０１の略中央部には撮影時に画角を操作するズームレバー６２１が鉛直方向にレバー操作可能に配置されている。このためズームレバー６２１は右手姿勢においても左手姿勢においても親指根元からの距離が略同一となり、右手親指でも左手親指でも操作が可能である。
【００２６】
図１３に示すようにズームレバー６２１をＡ−Ｂ方向に回動することでレンズを望遠または広角に操作する。
【００２７】
図４に示すように中央部をはさんでお互い略対角の位置にボタン631とボタン632が備えられている、ボタン６３１とボタン６３２は撮影時に使用する操作ボタンであり、両ボタンとも左手姿勢、右手姿勢において親指操作が可能である。
【００２８】
図４に示すように本体の電源OFF及び撮影モードか再生モードかを決める３つのポジションを選択切り替えが可能なモードレバー６１１が中央より右側面４０１よりに鉛直方向に切り替え可能に配置してあり、撮影モード指針６１２、電源ON/OFF指針６１３、再生モード指針６１４を選択できる。
【００２９】
図２の右側面４０１の前側にグリップベルト挿通部４２１が形成され後ろ側にはグリップベルト挿通部４３１が形成されている。挿通部４２１と挿通部４３１の間には検出部材４４１が配置されている。
【００３０】
図１５は検出部材４４１近傍を示す部分断面図である。検出部材４４１は円筒状に凹凸のあるローレット形状をしている。
【００３１】
図１６、図１７は検出部材４４１近傍の構成を示す図であり、図１６は分解図、図１７は組み立て図である。
【００３２】
ロータリーエンコーダー４４２は軸４４２aを備えている。ロータリーエンコーダー４４２は一般的な部材である。軸４４２の回転に伴いロータリーエンコーダー４４２には、一定の回転角毎にクリックストップ点（停止点）があり、このクリックストップ点を通過する数に比例したパルス信号（一般的には２相）が発生し、パルス数により回転量、２相のパルス出力で回転方向（左右）が分かる。
【００３３】
軸４４２ａは図示されていない検出部材４４１の中心に形成されている貫通穴に挿通および固定されている。
【００３４】
ロータリーエンコーダー４４２はリブ８０５およびリブ８０６に嵌り、軸４４２ａはリブ８０３およびリブ８０４に嵌る。
【００３５】
その状態において取り付け板４４３と取り付け板で軸４４２ａとロータリーエンコーダー４４２をリブ８０５およびリブ８０６で挟み込む。取り付け板４４３と取り付け板がボス８０１ａ、ボス８０１ｂ，ボス８０１ｃ，ボス８０１ｄにねじ止めされることで固定される。
【００３６】
図１５に示すように検出部４４１はグリップ部の外装面より若干飛び出している。右手撮影時は本体に対し図中矢印Ｙの方向より手が挿入され、左手撮影時は本体が上下反対になるので手は図中矢印Ｘの方向より挿入される。その際検出部４４１は回転方向が異なるため、右手が挿入されたか、左手が挿入されたか認識が可能である。
【００３７】
図１２に撮影姿勢の設定フローチャートを示す。ステップＳ1で検出部材４１１の回転方向を検出することで図１２のステップS4、ステップS5、にあるように右手姿勢か左手姿勢かを判断しその結果、図１１に示した画像音声設定テーブルに基づいて記録画像の設定を行う。
【００３８】
本実施例において挿入方向の検出はロータリーエンコーダーの回転方向により検出を行ったが、図１８のように回動自在の扉部材９０１と押されている間はＯＮになるようなプッシュスイッチ９１０を利用しても構わない。以上説明したようにプッシュスイッチやロータリーエンコーダーなどの安価な部品を使用することで重量センサー等の高価な部品を使用せずに右手姿勢か左手姿勢かを認識可能となる。
【符号の説明】
【００３９】
1  カメラ
10  本体部
101  上面
201  底面
301  左側面
302  バッテリー収納部
303  カード収納部
351  メモリーカード
361  バッテリー
401  右側面
411  グリップベルト
421  グリップベルト挿通部
431  グリップベルト挿通部
440  凹部
441  ローレット部
442  ロータリーエンコーダー
442a ロータリーエンコーダーの軸
443  押さえ板
444  押さえ板
501  レンズ面
511  撮影レンズ
521  右MIC
522  左MIC
601  背面
601a  背面部幅
601b  背面部高さ
611  モードレバー
612  指針
613  指針
614  指針
621  ズームレバー
631  撮影ボタン
632  静止画トリガー
624  第三の形態のズームレバーの回転軸
701  パネル部
711  画像表示部
722  指針
723  指針
801a ボス
801b  ボス
801c  ボス
801d  ボス
901  扉部材
910  プッシュスイッチ
a  光軸を通る鉛直軸
b  表示部の開閉軸
【図１】
2012123078.tif 000003
【図２】
2012123078.tif 000004
【図３】
2012123078.tif 000005
【図４】
2012123078.tif 000006
【図５】
2012123078.tif 000007
【図６】
2012123078.tif 000008
【図７】
2012123078.tif 000009
【図８】
2012123078.tif 000010
【図９】
2012123078.tif 000011
【図１０】
2012123078.tif 000012
【図１１】
2012123078.tif 000013
【図１２】
2012123078.tif 000014
【図１３】
2012123078.tif 000015
【図１４】
2012123078.tif 000016
【図１５】
2012123078.tif 000017
【図１６】
2012123078.tif 000018
【図１７】
2012123078.tif 000019
【図１８】
2012123078.tif 000020
【図１９】
2012123078.tif 000021